【手続補正書】
【提出日】平成28年1月7日(2016.1.7)
【手続補正１】
【補正対象書類名】特許請求の範囲
【補正対象項目名】全文
【補正方法】変更
【補正の内容】
【特許請求の範囲】
【請求項１】
（ａ）以下の構造：
Ｍ1aＭ2bＤ1cＤ2dＴ1eＴ2fＱg
によって表される組成物から選択される少なくとも１種の化合物を含むシリコン含有ポリエーテル電解質溶媒組成物
［式中、Ｍ1は、Ｒ1Ｒ2Ｒ3ＳｉＯ1/2、または１個もしくは複数のヘテロ原子Ｏ、Ｎおよび／もしくはＳを含有する一価有機ラジカルＭ’から選択され；ここで、Ｍ2はＲ4Ｒ5Ｒ6ＳｉＯ1/2から選択され；ここで、Ｄ1は、Ｒ7Ｒ8ＳｉＯ2/2または１個もしくは複数のヘテロ原子Ｏ、Ｎおよび／もしくはＳを含有する二価有機ラジカルＤ’から選択され；ここで、Ｄ2はＲ9Ｒ10ＳｉＯ2/2から選択され；ここで、Ｔ1は、Ｒ11Ｒ12ＳｉＯ3/2、または１個もしくは複数のヘテロ原子Ｏ、Ｎおよび／もしくはＳを含有する三価有機ラジカルＴ’から選択され；ここで、Ｔ2はＲ13Ｒ14ＳｉＯ3/2から選択され；ここで、Ｑは、ＳｉＯ4/2、または１個もしくは複数のヘテロ原子Ｏ、Ｎおよび／もしくはＳを含有する四価有機ラジカルＱ’から選択され；ここで、ａ、ｂ、ｃ、ｄ、ｅ、ｆおよびｇは、０＜ａ＋ｂ＋ｃ＋ｄ＋ｅ＋ｆ＋ｇ＜５０かつｂ＋ｄ＋ｆ＋ｇ＞０を条件として、０または正の整数のいずれかから独立して選択され、
Ｒ1、Ｒ2、Ｒ3、Ｒ5、Ｒ6、Ｒ7、Ｒ8、Ｒ10、Ｒ11、Ｒ12およびＲ14が、それぞれ独立して、１から約１０個の炭素原子を有する一価炭化水素ラジカル；１個または複数のヘテロ原子が、１個または複数のハロゲン、Ｏ、Ｎまたはその任意の２個以上の組み合わせから選択され、１から約１０個の炭素原子を有する一価炭化水素ヘテロ原子含有ラジカル；または一価ポリアルキレンオキシド残基から選択され、
Ｒ4、Ｒ9およびＲ13のいずれもポリアルキレンオキシド残基を含まない場合、Ｒ1、Ｒ2、Ｒ3、Ｒ5、Ｒ6、Ｒ7、Ｒ8、Ｒ10、Ｒ11、Ｒ12、Ｒ14、Ｍ’、Ｄ’、Ｔ’またはＱ’の少なくとも１つがポリアルキレンオキシド残基を含むことを条件として、Ｒ4、Ｒ9およびＲ13はそれぞれ独立して、オキシラン部分を含む一価ラジカルから選択される。］。
【請求項２】
該ポリアルキレンオキシドが以下の構造である、請求項１に記載の組成物：
−（ＣＨ2ＣＨ2Ｏ）m（ＣＨ2ＣＨ（ＣＨ3）Ｏ）n（ＣＨ2ＣＨ2ＣＨ2Ｏ）z−
によって表される群から選択される、請求項１から３のいずれかに記載の組成物［式中、０＜ｍ＋ｎ＋ｚ＜２０であることを条件として、ｍは正の整数であり；ここで、ｎおよびｚは独立して０または正の整数のいずれかである。］。
【請求項３】
少なくとも１種のリチウム塩に対する電解質溶媒である、請求項１または２に記載の組成物。
【請求項４】
該リチウム塩が、ＬｉＣｌＯ4、ＬｉＣＦ3ＳＯ3、ＬｉＢＦ4、ＬｉＰＦ6、ＬｉＡｓＦ6、ＬｉＮ（ＳＯ2ＣＦ3）2、ＬｉＴＦＳＩ、ＬＩＢＯＢ、または任意の２種以上の組み合わせの１つまたは複数から選択される、請求項３に記載の組成物。
【請求項５】
該組成物が少なくとも１種のリチウム塩のための電解質溶媒であり、ここで、該電解質溶媒は、最大約２Ｍの１種または複数のリチウム塩を可溶化することができる、請求項１から４のいずれかに記載の組成物。
【請求項６】
請求項１に記載の組成物と少なくとも１種のリチウム塩の該組み合わせが、室温で約０．５ｍＳ／ｃｍを超えるイオン伝導率を有する溶液を与える、請求項１から５のいずれかに記載の組成物。
【請求項７】
請求項１に記載の組成物と少なくとも１種のリチウム塩の該組み合わせが、室温で約１ｍＳ／ｃｍを超えるイオン伝導率を有する溶液を与え、そのような溶液が１種または複数の炭酸アルキル化合物を含まない、請求項１から６のいずれかに記載の組成物。
【請求項８】
該電解質溶媒組成物が、１種または複数のシリコン含有ポリエーテル化合物と組み合わせてアリルグリシジルエーテル、ジエチレングリコールモノメチルエーテル、アリルメトキシポリエーテル、またはその２種以上の任意の組み合わせから選択される約１体積パーセントから約１０体積パーセントの１つまたは複数の化合物をさらに含む、請求項１から７のいずれかに記載の組成物。
【請求項９】
該電解質溶媒組成物が、１種または複数のシリコン含有ポリエーテル化合物と組み合わせて、少なくとも１種の炭酸アルキル化合物をさらに含む、請求項１から８のいずれかに記載の組成物。
【請求項１０】
該少なくとも１種の炭酸アルキルが炭酸エチレン、炭酸ジメチルまたはその混合物から選択される、請求項９に記載の組成物。
【請求項１１】
該少なくとも１種の炭酸アルキルが、１種または複数のシリコン含有ポリエーテル化合物および１種または複数の炭酸アルキルの合計体積に対して、約２０から約５０体積パーセントの範囲で存在する、請求項９に記載の組成物。
【請求項１２】
（ａ）式（ＩＶ）および／または（Ｖ）：
【化１】
2015513170.tif 000001
によって表される組成物から選択された少なくとも１つの化合物［式中、式（Ｖ）の化合物のＰＥＧ部分は−（ＯＣＨ2ＣＨ2）4ＯＣＨ3を表す。］を含むシリコン含有ポリエーテル電解質溶媒組成物。
【請求項１３】
ＬｉＣｌＯ4、ＬｉＣＦ3ＳＯ3、ＬｉＢＦ4、ＬｉＰＦ6、ＬｉＡｓＦ6、ＬｉＮ（ＳＯ2ＣＦ3）2、ＬｉＴＦＳＩ、ＬＩＢＯＢ、またはその任意の２種以上の組み合わせから選択される少なくとも１種のリチウム塩のための電解質溶媒である、請求項１２に記載の組成物。
【請求項１４】
該組成物が少なくとも１種のリチウム塩のための電解質溶媒であり、ここで、該電解質溶媒は、最大約２Ｍの１種または複数のリチウム塩を可溶化することができる、請求項１２または１３に記載の組成物。
【請求項１５】
請求項１に記載の組成物と少なくとも１種のリチウム塩の該組み合わせが、室温で約１ｍＳ／ｃｍを超えるイオン伝導率を有する溶液を与える、請求項１２から１４のいずれかに記載の組成物。
【請求項１６】
請求項１に記載の組成物と少なくとも１種のリチウム塩の該組み合わせが、室温で約１ｍＳ／ｃｍを超えるイオン伝導率を有する溶液を与え、ここで、そのような溶液は１種または複数の炭酸アルキル化合物を含まない、請求項１２から１５のいずれかに記載の組成物。
【請求項１７】
該電解質溶媒組成物が、１種または複数のシリコン含有ポリエーテル化合物と組み合わせてアリルグリシジルエーテル、ジエチレングリコールモノメチルエーテル、アリルメトキシポリエーテル、またはその２種以上の任意の組み合わせから選択される約１体積パーセントから約１０体積パーセントの１つまたは複数の化合物をさらに含む、請求項１２から１６のいずれかに記載の組成物。
【請求項１８】
該電解質溶媒組成物が、１種または複数のシリコン含有ポリエーテル化合物と組み合わせて少なくとも１種の炭酸アルキル化合物をさらに含む、請求項１２から１７のいずれかに記載の組成物。
【請求項１９】
該少なくとも１種の炭酸アルキルが、１種または複数のシリコン含有ポリエーテル化合物と１種または複数の炭酸アルキルの合計体積に対して約２０から約５０体積パーセントの範囲で存在する、請求項１８に記載の組成物。
【請求項２０】
請求項１から１１のいずれかに記載の組成物を含む電気化学デバイス。
【請求項２１】
請求項１２から１９のいずれかに記載の組成物を含む電気化学デバイス。